(57)【要約】      （修正有）【課題】エレベーターが故障、又は地震が起きたときエレベーターに閉じ込められた場合に使用する救急トイレ及び手動発電機・救助を求める拡声機・ラジオ等の装置を収納するスペースを提供する。【解決手段】狭いエレベーター内に設置する物（以下、救急箱という。）につき、コンパクトでなければ役に立たないこと、閉じ込められることは人命に関わるので、主要のトイレ及び救助関連のＳＯＳ拡声器・ラジオ・発電機等固定装置、薬品・食品等収納装置、これら多数を詰めたコンパクト救急箱をエレベーターに設けるものである。【選択図】図２
0003150019.tif 000002
【実用新案登録請求の範囲】
【請求項１】
「１」エレベーター救急箱装置。
【請求項２】
「３」高さ調整レール装置。
【請求項３】
「５」故障防止ベアリング装置。
【請求項４】
「６」エレベーター壁巾寸法に合せる伸縮パイプ装置。
【請求項５】
「８」、「２０」蓋、トイレ天井兼用装置
【請求項６】
「１０」手動ロール取手装置。
【請求項７】
「１１」手動ロール固定装置。
【請求項８】
「１２」ラジオ固定部装置。
【請求項９】
「１４」救助用拡声機固定部装置。
【請求項１０】
「１５」手動発電機装置。
【請求項１１】
「１７」用便袋巻きロール装置。
【請求項１２】
「１８」個室作り仕切布地巻きロール装置。
【請求項１３】
「１３」布地巻ロール手動回転取手装置。
【請求項１４】
「１９」回転布地乱れ防止レール装置。
【請求項１５】
「２０」蓋・トイレ天井兼用装置。
【請求項１６】
「２１」トイレ天井巾伸縮自在パイプ装置。
【請求項１７】
「２２」不透明布地限定装置。
【請求項１８】
「１６」蓋、開閉ホック装置。
【請求項１９】
「２５」蓋、天井兼用固定チェーン装置。
【請求項２０】
「２３」非常薬品収納引出し装置。
【請求項２１】
「２４」非常食用引出し装置。
【請求項２２】
「２６」故障防止ベアリング装置。
【請求項２３】
「２７」故障防止ベアリング装置。
【請求項２４】
「２８」蝶番装置。
【請求項２５】
「３０」エレベーター救急箱位置設定の装置。
【請求項２６】
「３０」同上位置に「１」の救急箱本体を装置。
【請求項２７】
「３１Ａ」昇降シャッター装置。
【請求項２８】
「３１Ｂ」板状扉
【請求項２９】
「３２」取り外し自在非常品収納棚装置。
【考案の詳細な説明】
【技術の分野】
【０００１】  本考案は、エレベーターが故障、又は地震が起きたときエレベーターに閉じ込められた場合に使用する救急トイレ及び手動発電機・救助を求める拡声機・ラジオ等の装置に関わるものである。
本考案の内容は、従来存在しないものと解し、技術的に創作を要すものである。本考案の主要な点は、日常エレベーター使用上、邪魔にならないように「１」の本体を可能な限り「コンパクト」であること、本体の設置をエレベーターかご内の天井の位置から最下位まで高さ自在の装置であること、以上を基本として、閉じ込められた状態においての利便機能をも付帯する考案である。以下
【背景技術】
【０００２】  本考案は、近年エレベーター事故が多発し、０６年６月現在マスコミなどの報道によれば、死者、負傷者を出し。閉じ込められた件数は３００件余とされており、閉じ込められたとき、一番困るのはトイレ、この場合、男女何れも困るが、特に困るのは女性だとされる。
【考案の開示】
【考案が解決しようとする課題】
【０００３】  救急トイレを狭いエレベーターの中に、如何にしてコンパクトに作るか、日常使用する現存のエレベーター機能を阻害せず、邪魔にならないような形態で、閉じ込められたとき、便利に使用できるように解決しようとするものである。
【課題を解決するための手段】
【０００４】  本考案は、「図１」に示す如く、「２」の部に機械的トイレ機能をコンパクトに構成。「３」の部に大小エレベーターに合せる伸縮パイプ付きレールを装置のうえ、誰の身長にも合うように上下高さの移動自在可。
「４」の部にラジオ・手動発電機・救助を求める拡声機・非常食収納引出し等を装置。
大別して、以上３ツの部を主要としコンパクトに構成、具体的には、本考案全体を見渡すことが可能である「図２」の鳥瞰的構造図の如く問題点を解決している。
【考案の効果】
【０００５】  用便不可の状態は生理的に最大苦痛である。エレベーターの故障又は地震によって数日間も閉じ込められた場合、本体の救急トイレは、用便に役立つ。なお付帯するラジオ、発電機、非常食品収納、救助を求める拡声機等々の装置もそれぞれ役立つ。
【考案を実施するための最良の形態】
【０００６】  狭いエレベーター「かご」内に設置するにつき、本体をコンパクトに創作し、蓋をトイレ天井に早変わり自在、ロールを回せば布地がカーテンのように仕切られて、救急トイレ用の個室になる。
【実施例】
【０００７】  「３」レール機能により、本体を使用者自己の身長に合せて使用できる。【０００８】  平時、「９」のボタンを押して蓋を開けば、蓋が「２０］のように救急トイレの天井に早変わり（「２５」のチェーン付き）、「１３」の取手を手で回せば「２２」の布地が「１９」の布地乱れ防止レールを通過し「２２」の不透明布地の如く、仕切ることによってトイレ用の仮個室を形成し、「１７」の用便袋を使用する。【０００９】  エレベーター事故で閉じ込められた場合に本救急箱を使用し、特に地震で閉じ込められた場合には、がれき等々により救助活動が遅延して１日や２日では救助不可の事態を想定して、「１２」ラジオ・「１４」手動発電機・「１５」救助を求める拡声機」等を固定装置、「２３」非常薬収納引出し・「２４」非常食、水収納引出しなどを装置。【００１０】  本考案のエレベーター救急箱は、前述の如く多数の機能をぎっしり詰めてコンパクトに構成したものにて、全容は「図２」の鳥瞰的構造全体を見渡すことができる構造図のとおり実施。【００１１】  設置の実施は、現在使用中のエレベーターの場合、「図３」の如く本体「１」の救急箱を取り付けるだけでそのままエレベーターを使用する方法であり、一方次の「図４」の場合には、エレベーター「かご」を製作する段階で、当該「図４」のように本体救急箱を折り込む装置で「エレベーターかご」を製作するものである。【００１２】  当該「かご」製作方法、市販の多目的パネル両端が凹凸形状にて、これをはめ込むだけで「かご」本体を構成する方法である。
【図面の簡単な説明】
【００１３】
【図１】  本考案の救急箱は、「１」本体を大別して「２」トイレ機能装置部、「３」レール部、「４」非常用機能装置部、この三部をもって構成する本体形状表示の鳥瞰的正面図である。
【図２】  装置全体を見渡す鳥瞰的構造図である。
【図３】  本図面の点線表示は、現存使用中のエレベーターに本考案本体の設置状況を示すものである。
【図４】  本図「１」の救急箱本体を、「３０」位置設定の最上部に装置、エレベーターかご左右の壁に当該救急箱昇降レールを「３」の如く装置、「３１Ａ」昇降シャッター、「３１Ｂ」板状扉、「３２」取り外し自在棚等を装置し、「２９」のエレベーターかご（機械除外）を製作するものである。
【符号の説明】
【００１４】  １    エレベーター救急箱本体
２    トイレ機能部
３    本体の高さ調整レール部（最上段から最下段まで昇降自在）
４    非常用多数装置部
５    ベアリング装置（レール故障防止）
６    伸縮パイプ（エレベーター大きさの大小に合せる機能）
７    ビス止め固定用
８    蓋（蓋とトイレ天井の２役自在）
９    開閉ボタン
１０    ロール（使用者の身長に合せる高さ手動調整用にて、レールと一体化装置）
１１    ロール固定部
１２    ラジオ固定
１３    ロール（手動の取手）
１４    手動発電機
１５    拡声器（救助を求める）
１６    蓋、開閉ボタン（ホック）
１７    用便袋（ロール巻き）
１８    トイレ個室構成の仕切用布地巻きロール
１９    布地乱れ防止レール
２０    蓋がトイレ天井に早変わり（天井兼用）
２１    トイレ天井巾伸縮パイプ
２２    トイレ仕切布地不透明表示
２３    非常用薬品収納引出し
２４    非常食収納引出し
２５    「２０」のトイレ天井固定チェーン
２６    ロール付きベアリング（故障防止用）
２７    ロール付きベアリング（故障防止用）
２８    蝶番
２９    エレベーターかご（機械除外）製作（当該図のとおり）
３０    本考案の救急箱本体を、そのまま位置設定の最上部に装置し、エレベーターかごを製作
３１Ａ  昇降シャッター
３１Ｂ  板状扉
３２    地震非常用毛布収納棚（棚取り外し自在）
３３    ミネラルウオーター収納部
【図１】
0003150019.tif 000003
【図２】
0003150019.tif 000004
【図３】
0003150019.tif 000005
【図４】
0003150019.tif 000006
【手続補正書】
【提出日】平成18年12月1日(2006.12.1)
【手続補正１】
【補正対象書類名】実用新案登録請求の範囲
【補正対象項目名】全文
【補正方法】変更
【補正の内容】
【実用新案登録請求の範囲】
【請求項１】
エレベーター救急箱本体に、非常用の巻き戻し簡易トイレ仮個室設置及び非常用品収納引出しを５個所設け、薬品・非常食・ＳＯＳ拡声機・ラジオ・救急箱昇降自在のロールを設け、当該物品組合せによる多機能自在とした点を特徴とする救急箱を装置。
【請求項２】
当該救急箱は、長方形６面体をなし正面右側に、エレベーターかご大小の巾に合せる伸縮用の円筒形二重のパイプ２本を設け、エレベーターかごの壁左右に凹形レールを設け、救急箱右側に設けてある伸縮用パイプ先端に軸受けベアリング球形の玉が凹形レールに、はまる形であり、救急箱本体に取り付けてある取手（チェーン）を手で引けばロールが回転する方法で救急箱が昇降する装置。
【請求項３】
救急箱本体の上部一段目は、引出し５個を並列して組合せたものであり、正面左の引出しから右側へ、順番に薬品、食品を収納、次はＳＯＳ拡声機、手動発電機とラジオとをワンセット一体化し、それぞれを組合せて固定した装置。
【請求項４】
当該２段目は、ビニールの用便袋巻きの鉄丸棒ロールであり、同ロール両端にはベアリング軸受けを固定した装置。
【請求項５】
当該３段目は、トイレ仮個室仕切用の化繊布地巻きの鉄丸棒形状のロールであり、同ロール両端には回転用ベアリング軸受けを固定した装置。
【請求項６】
当該４段目は、前項の化繊布地巻きの乱れを防止する鉄丸棒を設けて固定した装置。
【請求項７】
救急箱本体の蓋板を開ければ、トイレ仮個室の天井に早変わり、布地巻き手動ロールを回せば布地が天井を覆う形で仕切って仮個室に成る組合せ装置。
【請求項８】
二以上の考案に係る単一性について、前項の当該救急箱は既設エレベーターかご及び新設エレベーターかごに組合せる物品であり、新旧エレベーターかごに設置する救急箱装置。
【請求項９】
かごの組合せの方法は、市販のかご用長方形パネル四方の端に、組合せ用凹凸形状を設け長方形６面体に組合せる「かご」であり、このかごの内側正面奥壁の上部に、「請求項１」と同一救急箱を設け、かご壁の下部は３段の棚板を設け、地震時必須品の非常食品、薬品、毛布収納等の多機能装置。
【請求項１０】
前項装置によるエレベーターかご内に物品収納棚を設けたことによって、美観兼用盗難防止用が必須につき、手動シャッターを設けた装置。
【手続補正書】
【提出日】平成19年4月9日(2007.4.9)
【手続補正１】
【補正対象書類名】実用新案登録請求の範囲
【補正対象項目名】全文
【補正方法】変更
【補正の内容】
【実用新案登録請求の範囲】
【請求項１】
エレベーター救急箱は、非常用品、収納引出し並びに簡易トイレを設け、既存エレベーターのかご及び新規製作エレベーターのかごに設置する長方形６面体に組合せた救急箱であり、
この救急箱の蓋を開くと同時に蓋が平面に変って、簡易トイレの天井となり、この天井平面に装着したＵ形金具を手で引けば天井巾伸縮自在であり、左右はエレベーターかごの壁であるから同救急箱の正面中段上部に装着した布地を手で引き下げるだけで帽子の前面ツバのような天井板に同布地が被さり、簡易トイレの個室となるところを特徴とするエレベーター救急箱のメイン装置。
【請求項２】
当該、エレベーター救急箱の用便器は、不透明ビニール製で折り畳む袋状であり、同救急箱の正面上段に用便袋を設け、停電を想定して、手で引き取って使用できる組合せにしたところを特徴とする「請求項１」に記載の救急箱の用便袋を装着したエレベーター救急箱の装置。
【請求項３】
当該、エレベーター救急箱は、地震、その他事故が発生したときに対応須く、非常食品、薬品収納引出し、ＳＯＳ拡声機、ラジオ、手動発電機などを固定した引出しを耐震用に並列して計５個を一体として設けたところを特徴とする「請求項１」に記載のエレベーター救急箱の装置。
【請求項４】
当該、エレベーター救急箱は、エレベーターかご内にはスペースに全く余裕がないところ、天井に接するわずかな空間を利用して設置するものであり、狭い限定面積に「請求項１」ないし「請求項３」の如く、多種の物品をコンパクトに組合せたところを特徴とする「請求項１」に記載のエレベーター救急箱のコンパクト装置。
【請求項５】
当該、エレベーター救急箱を設置する組合せ方法は、一般的エレベーターかご面積大小の巾寸法に合せる伸縮自在の円筒形二重パイプ２本を並列して、救急箱に組合せたところを特徴とする「請求項１」に記載の救急箱に円筒形二重パイプを装着したエレベーター救急箱の装置。
【請求項６】
当該、エレベーター救急箱昇降機材の組合せ方法は、エレベーターかご左右の壁に凹形レールを設け、「請求項５」に記載の伸縮自在、円筒形二重パイプ２本の先端にレール軸受けベアリング形状の球形の玉を設け、同球形の玉を当該凹形状レールに、はめ込む形態で組合せたところを特徴とする「請求項１」に記載のエレベーター救急箱の装置。
【請求項７】
当該、エレベーター救急箱の昇降作動器具の組合せ方法は、「請求項５」に記載の伸縮自在、円筒形二重パイプ２本の先端部分に、特製円筒凹形金具を回転用に２個設け、この２個の円筒凹形に細い化繊の紐をチェーン状に巻き、１本の紐は下降用に、もう１本の紐は上昇用であり、この両方の紐を手動で交互に引くことにより昇降自在としたところを特徴とする「請求項１」に記載のエレベーター救急箱の昇降作動器具の組合せ装置。
【請求項８】
この新規製作のエレベーターかごは、長方形６面体の形状であり、同かごの組合せの方法は、パネル四方の端に凹凸形状の雄雌で組合せの６面体形状のかごであり、このかご自体の特徴とする部分は、かご製作の時点で始めから奥面の天井に接する壁上部に、当該エレベーター救急箱を設置し、その下部壁面には、非常用品収納用の棚３段を設け、当該設置用品保存の昇降シャッターを設けてある新規製作エレベーターのかごと当該エレベーター救急箱とを併合し、一体として組合せたところを特徴とする「請求項１」に記載の新規製作エレベーターのかご。
【手続補正書】
【提出日】平成19年7月11日(2007.7.11)
【手続補正１】
【補正対象書類名】実用新案登録請求の範囲
【補正対象項目名】全文
【補正方法】変更
【補正の内容】
【実用新案登録請求の範囲】
【請求項１】
エレベーター救急箱本体は、緊急時に使用する簡易トイレ及び非常品等の装着品から成り、同救急箱本体の形状は、長方形６面体の小形であり、救急箱本体の構成は、木質パネルで６面体に組合せ、この内、５面をビス止めで固定し、残りの１面は蓋であり、この蓋の下部に特製Ｌ字形金具の蝶番を取付け、蓋を開ければ、蓋が重力の方向へ平面に変わるこの蓋を、後述の簡易トイレ仮個室の仮天井兼用に組合せたところを特徴とする構成であり、
エレベーター救急箱本体の内部構成は、最上部の第１段目に、横向き並列して引出し５個を非常用品の収納用に組合せ、第２段目から簡易トイレのポリエステル用便袋を巻くローラー用の円筒形ステンレスパイプを設け、第３段目には、簡易トイレ仮個室の壁代わりに仕切る布地を巻くローラー用の円筒形ステンレスパイプを設け、第４段目は、化繊布地の乱れを防ぐローラー用の円筒形ステンレスパイプを設け、これら多品目を組合せたところを特徴とする構成であり、
エレベーター救急箱本体の設置は、既存のエレベーターかご奥部壁の天井に接する位置に装着し又は新規製作エレベーターかごには、同かご製作時に、前記の既存エレベーターと同じ位置に救急箱を装着し、救急箱が見えないようにシャッターを組合せ、狭苦しく限りあるスペースに、以上多品目の組合せから成る簡易トイレ等々装着のエレベーター救急箱。
【請求項２】
以下は、「請求項１」において記載した各種物品の機能、形状、組合せ等の具体的な装置を箇条書きに記載。
１．「請求項１」において、第１段目と示した引き出し５個は長方形であり、この内、２個の引出しは非常食品及び薬品等の収納用であり、次の引出し２個には市販の長方形の小形ラジオ、ＳＯＳ拡声機、手動発電機などを固定した装置。
２．「請求項１」において、２段目に示した簡易トイレ用便袋は、平面巾３０ｃｍ、平面奥行５０ｃｍ形状の防臭用二重袋に切取り線引きで連結した不透明ポリエステル用便袋を巻く、ローラー用の円筒形ステンレスパイプを設けた装置。
３．「請求項１」において、３段目に示した簡易トイレ仮個室の壁代わりに、仕切用の化繊布地を巻くローラー用の円筒形ステンレスパイプを設け、このパイプに巻かれた化繊布地を手で引けば、「請求項１」の冒頭から３行ないし５行目に記載した仮天井を覆う形で化繊布地が仮壁となり簡易トイレ仮個室が成立した装置。
４．「請求項１」において、４段目に示した化繊布地の乱れを防ぐローラー用の円筒形ステンレスパイプの装置。
５．エレベーター救急箱本体の昇降は、エレベーターかご左右の壁に凹形レールを並列して２本設け、一方救急箱本体の正面右側末端に設けてある引出しの右横部に、エレベーターかご巾の大小に合わせる伸縮自在の円筒形二重パイプを設け、このパイプ先端に、凸形金具を設けて、同金具を壁に設けてある凹形レールに組合せてエレベーター救急箱が昇降する物であり、
同救急箱本体の昇降手段は、前記と同じ引出し部に、巻き戻し回転用の特製円筒形ステンレスパイプに化繊紐２本をチェーン状に巻き、手動でこの２本の紐を交互に引くことにより救急箱昇降自在としたところを特徴とする装置。
以上から成る
個々の物品を組み合わせたところを特徴とするエレベーター救急箱。
【手続補正書】
【提出日】平成19年10月19日(2007.10.19)
【手続補正１】
【補正対象書類名】実用新案登録請求の範囲
【補正対象項目名】全文
【補正方法】変更
【補正の内容】
【実用新案登録請求の範囲】
【請求項１】
１．エレベーター救急箱本体の箱は、
木質パネルで組合せた長方形６面体のコンパクト形成であり、組合せの方法は、強力ボンドで接着の上、なお二重に強度上の防御用として各角部にビス止め（符号７）の固定であり、正面はパネル材で蓋を組合せ、蓋の下部左右に設けた特製Ｌ字形の蝶番（符号２８）は、蓋を開けたとき、蓋が水平に静止（符号２０）する機能を有すにつき、簡易トイレ個室の仮天井と成り、蓋と仮天井とを兼用に組合せたところを当該箱の特徴とするエレベーター救急箱。
２．当該救急箱の内部構成（Ａ）
救急箱の箱内部上段に、簡易トイレの用便袋をフィルム状に巻いた（符号１７）ステンレス鉄棒を設け、同鉄棒の固定方法は、救急箱の内側左右の壁に、リング形状の金具を固定し（符号２６）、同金具に取り外し自在の鉄棒を差し込み、鉄棒に巻いてある（符号１７）フィルム状の用便袋を手で引けば用を足す組合せ装置。
２段目の鉄棒（符号２７）には、簡易トイレの仮個室を仕切る仮壁用の布地巻き（符号１８）であり、３段目のステンレス鉄棒は布地の乱れ防止用であり、それぞれの固定方法は、同上段の鉄棒の組合せと同一の固定装置。
３．当該救急箱の内部構成（Ｂ）
当該救急箱の最上段の正面左側２個の引出し（符号２３・２４）は非常食と薬品入れ、右側３個の引出し（符号１２・１４・１５）には手動発電機、ラジオ、ＳＯＳ拡声機を収納して固定した組合せ装置。
４．救急箱の装着位置並びに同箱に付帯する外部構成
当該救急箱は、エレベーターかご内に装着するため、狭いスペースに限りがあって、同かご奥壁の真上に位置する天井に合せて装着するコンパクト救急箱であり、（Ａ）同かごの大、中、小の何れにも、それぞれの巾の長さに合せるべく救急箱の左右に伸縮自在の機能を有す二重パイプ（符号６）を２本づつ設けてあり、
（Ｂ）同パイプ２本の末端部を、救急箱昇降用に、エレベーターかご両壁に設けてあるコの字形レール（符号３）に差し込む組合せであり、救急箱昇降の手段は、巻き戻し回転用の特製円筒形ステンレスパイプに化繊紐２本をチェーン状に巻いてあり、この紐（符号１０）を手動で交互に引くことにより昇降自在となる組合せ装置。
５．説明、エレベーター使用上、狭いスペースの中で、邪魔にならない超コンパクト救急箱に簡易トイレ仮個室を構成し、非常用品、救急箱昇降用品等の多品目に亘って個々に特定した物品を、組合せたところを特徴とするエレベーター救急箱。
備  考
（符号３０）の図面は救急箱を装着するイメージのエレベーターかご。
【手続補正書】
【提出日】平成20年2月14日(2008.2.14)
【手続補正１】
【補正対象書類名】実用新案登録請求の範囲
【補正対象項目名】全文
【補正方法】変更
【補正の内容】
【実用新案登録請求の範囲】
【請求項１】
エレベーター救急箱本体は、木質パネルで長方形６面体の構成であり、同６面体の各角部の相互関係は接合であり、接合の手段は、６面体の６辺に亘って角部個々の接合点を、強力ボンドで接着し、そのうえビス止めの固定であり、救急箱の大きさは、エレベーターかごのスペースに限りがあるため、巾１３８ｃｍ×奥行２０ｃｍ×高さ３０ｃｍの細長い小形の箱に、非常用品収納の引出し５個を設けた簡易トイレの仮個室をコンパクトに組み合わせたところを特徴とするエレベーター救急箱の装置。
【請求項２】
「請求項１」に記載した救急箱蓋の組合せは、救急箱下部端の左右にＬ字形蝶番のＬ形状の角部に釘を差し込み、この釘が基軸となってローリングすることによって蓋の開閉が自在となり、一方Ｌ字形のＬ下部が水平形に留まったままであるから同蓋を開けたときは、蓋が水平形の平面となって、救急箱内在装置の簡易トイレ用の仮天井となり、この蓋を同仮天井兼用に組合せたところを特徴とする「請求項１」の救急箱装置。
【請求項３】
「請求項１」に記載した救急箱上段内在装置の簡易トイレ用ポリエステル用便袋巻き回転ローラー用の円筒形パイプを設け、救急箱内側の左右の壁に、同パイプ受け皿用に円形状の金具（１７）を設け、この金具に同パイプ両端を差し込む形態で組み合わせたところを特徴とする「請求項１」の救急箱用便袋巻きを回転取り出し装置。
【請求項４】
「請求項３」の文末に記載した用便袋巻きの次段に、簡易トイレ個室用の壁代用、仕切り布地巻き（１８）回転ローラー用の円筒形パイプを設け、このパイプの固定は、前項の「請求項３」と同じく、救急箱内側左右の壁に、同パイプ受け皿用に円形状の金具を設け、この金具に同パイプ両先端を差し込む形態で組合せたところを特徴とする「請求項１」の簡易トイレ仮個室壁代用の仕切り布地巻き装置。
【請求項５】
「請求項４」の文末に記載した布地巻きの次段のステンレスパイプ（１９）は、「請求項４」の布地乱れ防止用であり、救急箱内側の左右にビス止めの固定装置。
【請求項６】
「請求項１」に記載した救急箱内在、最上段に非常用品の収納用に並列５個の引出しを組み合わせたところを特徴とする「請求項１」の救急箱装置。
【請求項７】
「請求項１」に記載の救急箱本体は、エレベーターかご内において昇降の機能を有す物であり、その昇降装置は、エレベーターかごの左右壁に凹形ステンレスレールを並列２本（３）を設け、
一方エレベーター大小のスペースに合わせるため、救急箱右側の壁面上部に並列２ヵ所に穴を設け、伸縮自在である円筒形二重のステンレスパイプ２本を差し込み二重パイプの外側パイプ（６）は固定であり、
この二重パイプは上記の如く、伸縮自在の機能があり、パイプ左側先端部は凹凸の小形歯車を救急箱昇降用に設けてあり、同パイプ右側先端部（５）は凸形金具を設け、この凸形金具と凹形レールとの組合せによって昇降軌道の成立あり、
昇降の手段は、化繊紐２本（１０）を手で引くことで昇降自在であり、円筒形二重パイプ１本で前述の如く３点の機能を組合せたところを特徴とする「請求項１」の救急箱昇降装置。
【手続補正書】
【提出日】平成20年6月4日(2008.6.4)
【手続補正１】
【補正対象書類名】実用新案登録請求の範囲
【補正対象項目名】全文
【補正方法】変更
【補正の内容】
【実用新案登録請求の範囲】
【請求項１】
本考案のエレベーター救急箱本体の箱自体は、木質パネルを使って長方形６面体に接合（強力ボンド）し、組合せてあり、エレベーター救急箱内に、組合せた物品は、利便性の高い非常用品収納用の引出しを５個組合せてあり、本考案のメインである簡易トイレ仮個室を組合せてあり、以上の３点に係る以下の物品を当該救急箱に組合せたところを特徴とするエレベーター救急箱の装置。
【請求項２】
エレベーター救急箱の蓋の組合せは、救急箱下部端の左右にＬ字形蝶番の角部に釘を差込んだ、この釘が基軸となってローリングすることによって、蓋の開閉が自在であり、同蓋を開けると同時にＬ字形蝶番の下部の横面が平面の形態で留まったままであるから、この蓋が当該トイレ仮個室の天井パネル兼用に早変わりする組合せ（記号２０・２８）のところを特徴とする「請求項１」に記載したエレベーター救急箱の装置。
【請求項３】
「請求項２」に続き、エレベーター救急箱内に、簡易トイレの仮個室全体を構成した中の一品であるローラー形状の用便袋を組合せた鉄丸棒（直系８ｍｍ）の受皿用に、円筒形パイプ形体の金具（記号２６）を救急箱内壁面の左右に組合せてあり、この鉄丸棒に、円筒形ローラー形態の用便袋巻き（記号１７）を組合せてあり、この鉄丸棒と用便袋巻きを一体化して組合せたところを特徴とする「請求項１」に記載したエレベーター救急箱の装置。
【請求項４】
「請求項３」に続き、鉄丸棒と用便袋を組合せた次段（記号２７）には、簡易トイレ仮個室作り（記号１８）の壁用の仕切り布地を円筒形の如くローラー形状に巻いてあり、この布地（記号２２）を手で引けば、天井用のパネル（記号２０）の上部を布地が被さる様態で、当該布地が簡易トイレの壁となり、簡易トイレ仮個室が成立する組合せのところを特徴とする「請求項１」に記載したエレベーター救急箱の装置。
【請求項５】
エレベーター救急箱内の最上段の位置（記号１１・１２・１４・２３・２４）に５個の引出しを組合せてあり、当該引出しの用途は、不特定多数の非常用品収納引出しを組合せてあり、当該５個の引出しは須く、必然と要求される利便性の高い引出しを組合せたところを特徴とする「請求項１」に記載したエレベーター救急箱の装置。
【手続補正書】
【提出日】平成20年10月16日(2008.10.16)
【手続補正１】
【補正対象書類名】実用新案登録請求の範囲
【補正対象項目名】全文
【補正方法】変更
【補正の内容】
【実用新案登録請求の範囲】
【請求項１】
本考案のエレベーター救急箱本体の箱自体は、木質パネルを使って長方形６面体に強力ボンドにより接合し、組合せてあり、エレベーター救急箱内に、組合せた物品は、利便性の高い非常用品収納用引出しを５個組合せてあり、本考案のメインである簡易トイレ仮個室を組合せてあり、以上の３点に係る以下の物品を当該救急箱に組合せたところを特徴とするエレベーター救急箱の装置。
【請求項２】
エレベーター救急箱の蓋の組合せは、救急箱下部端の左右にＬ字形蝶番の同Ｌ形角部に釘を差込んだ、この釘が基軸となってローリングすることによって、蓋の開閉が自在であり、同蓋を開けると同時にＬ字形蝶番（記号２８）のＬ形下部の横面が平面の形態で留まったままであるから、この蓋が、当該トイレ仮個室の天井（記号２０）に早変わりする組合せにしたところを特徴とする「請求項１」に記載したエレベーター救急箱の装置。
【請求項３】
「請求項２」に続き、エレベーター救急箱内に、簡易トイレの個室全体を構成した中の一品であるローラー形状の用便袋を組合せた直径８ｍｍの鉄丸棒の受皿用に、円筒形パイプ形体の金具（記号２６）を救急箱内壁面の左右に組合せてあり、この鉄丸棒に、円筒形ローラー形態の用便袋巻き（記号１７）を組合せてあり、この鉄丸棒と用便袋巻きを一体化して組合せたところを特徴とする「請求項１」に記載したエレベーター救急箱の装置。
【請求項４】
「請求項３」に続き、鉄丸棒と用便袋を組合せた次段（記号２７）には、簡易トイレ仮個室作り（記号１８）の壁用の仕切り布地を円筒形の如くローラー形状に巻いてあり、この布地（記号２２）を手で引けば、天井用のパネル（記号２０）の上部を布地が被さる様態で、当該布地が簡易トイレの壁となり、簡易トイレ仮個室が成立する組合せをしたところを特徴とする「請求項１」に記載したエレベーター救急箱の装置。
【請求項５】
エレベーター救急箱内の最上段の位置（記号１１・１２・１４・２３・２４）に５個の引出しを組合せてあり、当該引出しの用途は、不特定多数の非常用品収納引出しを組合せてあり、当該５個の引出しは須く、必然と要求される利便性の高い引出しを組合せたところを特徴とする「請求項１」に記載したエレベーター救急箱の装置。
【手続補正書】
【提出日】平成21年1月28日(2009.1.28)
【手続補正１】
【補正対象書類名】実用新案登録請求の範囲
【補正対象項目名】全文
【補正方法】変更
【補正の内容】
【実用新案登録請求の範囲】
【請求項１】
本考案のエレベーター救急箱本体の箱自体は、木質パネルを使って長方形６面体に強力ボンドにより接合した組合せてあり、エレベーター救急箱内に、組合せた物品は、利便性の高い非常用品収納用引出しを５個組合せてあり、本考案のメインである簡易トイレ仮個室を組合せてあり、「以上の３点に係る物品」を救急箱本体に組合せたところを特徴とするエレベーター救急箱の装置。
【請求項２】
エレベーター救急箱の蓋の組合せは、救急箱下部端の左右にＬ字形蝶番の同Ｌ形角部に釘を差込んだ、この釘が基軸となってローリングすることによって、蓋の開閉が自在であり、同蓋を開けると同時にＬ字形蝶番（記号２８）のＬ形下部の横面が平面の形態で留まったままであるから、この蓋が、当該トイレ仮個室の天井（記号２０）に早変わりする組合せにしたところを特徴とする「請求項１」に記載したエレベーター救急箱の装置。
【請求項３】
エレベーター救急箱内に、簡易トイレの個室全体を構成した中の一品であるローラー形状の用便袋を組合せた直径８ｍｍの鉄丸棒の受皿用に、円筒形パイプ形体の金具（記号２６）を救急箱内壁面の左右に組合せてあり、この鉄丸棒に、円筒形ローラー形態の用便袋巻き（記号１７）を組合せてあり、この鉄丸棒と用便袋巻きを一体化して組合せたところを特徴とする「請求項２」に記載したエレベーター救急箱の装置。
【請求項４】
鉄丸棒と用便袋を組合せた次段（記号２７）には、簡易トイレ仮個室作り（記号１８）の壁用の仕切り布地を円筒形の如くローラー形状に巻いてあり、この布地（記号２２）を手で引けば、天井用のパネル（記号２０）の上部を布地が被さる様態で、当該布地が簡易トイレの壁となり、簡易トイレ仮個室が成立する組合せをしたところを特徴とする「請求項３」に記載したエレベーター救急箱の装置。
【請求項５】
エレベーター救急箱内の最上段の位置（記号１１・１２・１４・２３・２４）に５個の引出しを組合せてあり、当該引出しの用途は、不特定多数の非常用品収納引出しを組合せてあり、当該５個の引出しは須く、必然と要求される利便性の高い引出しを組合せたところを特徴とする「請求項１」に記載したエレベーター救急箱の装置。